(57)【要約】【課題】  ストロボ装置をカメラから離して配設した場合にも充電完了を確認し、ストロボ撮影を容易に行うことを可能にしたストロボ装置を提供する。【解決手段】  ストロボ発光を可能とする充電完了を表示する充電完了ランプを備えるストロボ装置であって、当該充電完了ランプを複数の方向から視認可能に構成すべく、複数の充電完了ランプ１０〜１３をストロボ本体１の複数の面に配設する。スレーブ発光やマルチ発光での撮影時にカメラから離れた位置にストロボ装置を配設した場合でも、カメラが設置されている任意の方向からいずれかの充電完了ランプ１０〜１３の点灯を視認し、当該ストロボ装置での充電完了を確認して、円滑なストロボ撮影が可能になる。【選択図】  図２
2006039354.tif 000002
【特許請求の範囲】
【請求項１】
適正なストロボ発光が可能な充電完了を表示する充電完了ランプを備えるストロボ装置であって、前記充電完了ランプを複数の方向から視認可能に構成したことを特徴とするストロボ装置。
【請求項２】
前記充電完了ランプをストロボ装置の複数の面に配設したことを特徴とする請求項１に記載のストロボ装置。
【請求項３】
前記充電完了ランプは、ストロボ装置の背面に配設した主充電完了ランプと、前記ストロボ装置の正面及び左右側面にそれぞれ配置した副充電完了ランプとを備えることを特徴とする請求項２に記載のストロボ装置。
【請求項４】
前記充電完了ランプを複数の方向に向けて移動可能に設けたことを特徴とする請求項１に記載のストロボ装置。
【請求項５】
前記充電完了ランプは、ストロボ装置の背面に配設した主充電完了ランプと、前記ストロボ装置に対し異なる方向に向けて回動位置可能な表示ダイヤルに設けた副充電完了ランプとを備えることを特徴とする請求項４に記載のストロボ装置。
【請求項６】
前記充電完了ランプをストロボ装置の複数の方向から視認可能な位置に配設したことを特徴とする請求項１に記載のストロボ装置。
【請求項７】
前記充電完了ランプは、ストロボ装置の背面に配設した主充電完了ランプと、前記ストロボ装置の頂面に突出状態に設けた副充電完了ランプとを備えることを特徴とする請求項６に記載のストロボ装置。
【請求項８】
ストロボ装置の通常状態での発光時には前記主充電完了ランプを点灯可能とし、ストロボ装置をマルチ発光又はスレーブ発光させる発光時には前記副充電完了ランプを点灯可能としたことを特徴とする請求項３，５又は７に記載のストロボ装置。
【発明の詳細な説明】
【技術分野】
【０００１】
本発明はカメラのストロボ装置に関し、特にカメラから離れた位置に配置したストロボ装置の充電完了を確認するための充電完了ランプを改善したストロボ装置に関するものである。
【背景技術】
【０００２】
カメラのストロボ装置は、カメラの撮影時の補助光を発光するために用いられており、通常はカメラに設けられたホットシュー等に装着し、カメラのレリーズにより発光する構成となっている。一般のストロボは内蔵電池やパワーバック内のバッテリでストロボ回路を充電して所定の発光光量を得る回路構成がとられているため、ストロボ装置には所定の充電が完了したことを表示するための充電完了ランプが設けられる。充電完了ランプが表示される前に発光を行うと所定の発光光量が得られないことは言うまでもない。なお、特許文献１にも記載されているように、この充電完了ランプとしてはネオン管を用いているが、近年のストロボ装置ではＬＥＤ等の発光素子を用いているものが殆どであり、本明細書ではこのＬＥＤで構成されるものを含めて充電完了ランプと称する。
【特許文献１】特開２００１−１０９０３９号公報
【０００３】
ところで、ストロボ装置の発光により撮影を行う、いわゆるストロボ撮影を行う場合に、所望の撮影効果を得るためにストロボ装置をカメラから離れた位置に配置することが行われる。例えば、被写体を正面から撮影する際にストロボ装置を被写体の正面に配置するとともに、被写体の側方に配置して側方からストロボ発光による照明を行う場合である。例えば、図１に示すように、被写体Ｏｂを撮影するカメラＣａに設けたストロボ装置Ｓｔ１の他に、これとは異なる複数の位置に複数のストロボ装置Ｓｔ２，Ｓｔ３を配置し、これらのストロボ装置を延長コードＣｄあるいはワイヤレスでカメラＣａに接続してこれらのストロボ装置Ｓｔ１〜Ｓｔ３を同時に発光させるいわゆるマルチ発光撮影を行う場合がある。あるいは、カメラＣａに設けたメインとなるストロボ装置Ｓｔ１のプレ発光をサブのストロボ装置Ｓｔ２，Ｓｔ３が自身で検出して発光するスレーブ発光を行う場合もある。
【発明の開示】
【発明が解決しようとする課題】
【０００４】
このようなストロボ撮影の場合に、カメラのレリーズ操作を行う際には、ストロボ装置に設けられている充電完了ランプを視認し、適切な充電が行われていることを確認する必要がある。従来のストロボ装置は、ストロボ装置をカメラに装着したときに撮影者ＣａＭｎが充電完了ランプの表示を視認し易くするために、充電完了ランプはストロボ装置の背面に配設されている。そのため、図１の例のようにカメラＣａから離れた位置にストロボ装置Ｓｔ２，Ｓｔ３を配置して撮影を行う場合には、これらストロボ装置の配設位置及びストロボ装置の発光方向とカメラとの位置関係によっては、撮影者ＣａＭｎがカメラ位置からストロボ装置Ｓｔ２，Ｓｔ３の充電完了ランプを視認することができない場合がある。そのため、撮影者はカメラ位置から移動してストロボ装置の充電完了ランプを確認しなければならず、特に複数のストロボ装置を配置した場合には撮影者はその各ストロボ装置の充電完了ランプが視認できる位置まで移動しなければならず、円滑な撮影に支障を来すという問題がある。
【０００５】
本発明の目的は、ストロボ装置の充電完了ランプをいずれの方向からも確認できるように構成することで、ストロボ装置をカメラから離して配設した場合のストロボ撮影を容易に行うことを可能にしたストロボ装置を提供するものである。
【課題を解決するための手段】
【０００６】
本発明は、適正なストロボ発光を可能とする充電完了を表示する充電完了ランプを備えるストロボ装置であって、当該充電完了ランプを複数の方向から視認可能に構成したことを特徴とする。すなわち、充電完了ランプをストロボ装置の複数の面に配設する。あるいは、充電完了ランプを複数の方向に向けて移動可能に設ける。あるいは、充電完了ランプをストロボ装置の複数の方向から視認可能な位置に配設する。
【発明の効果】
【０００７】
本発明によれば、スレーブ発光やマルチ発光での撮影時にカメラから離れた位置にストロボ装置を配設した場合でも、各ストロボ装置の充電完了ランプを任意の方向から視認することができるため、カメラ位置にいる撮影者が各ストロボ装置の充電完了ランプの点灯を視認して、各ストロボ装置での充電完了を確認することができ、円滑なストロボ撮影が可能になる。
【発明を実施するための最良の形態】
【０００８】
本発明において、ストロボ装置の複数の面に配置する充電完了ランプは、ストロボ装置の背面に配設した主充電完了ランプと、ストロボ装置の正面及び左右側面にそれぞれ配置した副充電完了ランプとを備える。また、複数の方向に向けて移動可能に設ける充電完了ランプは、ストロボ装置の背面に配設した主充電完了ランプと、ストロボ装置に対し異なる方向に向けて回動位置可能な表示ダイヤルに設けた副充電完了ランプとを備える。また、複数の方向から視認可能な位置に配置する充電完了ランプは、ストロボ装置の背面に配設した主充電完了ランプと、ストロボ装置の頂面に突出状態に設けた副充電完了ランプとを備える。その上で、ストロボ装置の通常状態での使用時には主充電完了ランプを点灯可能とし、ストロボ装置をマルチ発光又はスレーブ発光させる使用時には副充電完了ランプを点灯可能とする。
【実施例１】
【０００９】
次に、本発明の実施例を図面を参照して説明する。図２は本発明の実施例１のストロボ装置の外観斜視図であり、（ａ）は正面側、（ｂ）は背面側から見た図である。横Ｌ字型に近い形状をしたストロボ本体１は下部にシュー取付部２が設けられており、図には表れないカメラのホットシューに装着してストロボ本体をカメラに支持するとともに、当該ホットシューの接点に接触してカメラに対して電気接続される。前記ホットシューに対するストロボ本体１の取り付けは、シュー取付部に設けられた取付レバー３を操作して行う。前記ストロボ本体１の前面には発光窓４が配設され、ストロボ本体１内に内蔵した図には表れない発光管で発光した光を正面に向けて出射するようになっている。また、前記発光窓４の下側に位置するストロボ本体１の正面下部１Ｆにはワイヤレス受光部５が配設されており、被写体から反射されてくるメインのストロボ装置からのプレ発光を受光し、これと同期して発光を行うスレーブ撮影が可能とされている。前記ストロボ本体１の背面１Ｂには、各種データを表示するためのＬＣＤ等からなる表示器６と、メインスイッチ７、スレーブ／ノーマルの切替スイッチ８等の各種スイッチが配設されている。特に、スレーブ／ノーマル切替スイッチ８は、スレーブ側に切り替えたときにストロボ装置がスレーブ発光を行うように設定するためのものである。
【００１０】
さらに、前記ストロボ本体１の前記した背面１Ｂ、及び正面下部１Ｆ並びに左右の各側面１Ｌ，１Ｒには、それぞれ充電完了ランプ１０，１１，１２，１３が配設されている。図３（ａ）は前記４つの充電完了ランプ１０〜１３の構成を示す模式構成図である。ストロボ本体１内に２つの赤色ＬＥＤ２１，２２が内蔵されており、ストロボ本体１内に設けられた図示を省略するストロボ回路のメインコンデンサが所定の電荷に充電されたときに発光するようになっている。ここで、１つのＬＥＤ２１はストロボ本体１の背面１Ｌに設けた円形樹脂板からなる小窓１０ａに臨んで配設されており、このＬＥＤ２１で主充電完了ランプとしての前記充電完了ランプ１０を構成している。また、前記ストロボ本体１の正面下部１Ｆと左右の各側面１Ｌ，１Ｒにはそれぞれ同様に円形樹脂板からなる小窓１１ａ，１２ａ，１３ａが設けられており、これらの小窓と前記他方のＬＥＤ２２との間をそれぞれ光ファイバ３１，３２，３３あるいは光導光体で光学的に連結している。すなわち、前記正面下部１Ｆと左右側面１Ｌ，１Ｒの各小窓１１ａ，１２ａ，１３ａには前記各光ファイバ３１，３２，３３の先端を一体的に固定して光結合を行っており、他方のＬＥＤ２２で発光した光が各光ファイバ３１，３２，３３の基端に入射されて各小窓まで導光されるように光学結合している。これにより、正面下部１Ｆ、左右側面１Ｌ，１Ｒの各小窓１１ａ，１２ａ，１３ａはそれぞれ副充電完了ランプ１１，１２，１３として構成される。その上で図３（ｂ）に示すように、バッテリＢａｔに接続された２連２極スイッチからなる前記スレーブ／ノーマル切替スイッチ８をノーマルＮ側に切り替えたときには一方のＬＥＤ２１のみが発光され、スレーブ側Ｓに切り替えたときには２つのＬＥＤ２１，２２の両方が発光されるようになっている。
【００１１】
この実施例１のストロボ装置では、メインスイッチ７をオンしてストロボ装置を発光可能な状態に設定するとストロボ回路はメインコンデンサに充電を介し、充電が完了すると充電完了ランプを発光させる。このとき、スレーブ／ノーマル切替スイッチ８をノーマル側Ｎに切り替えていると一方のＬＥＤ２１のみが発光する。そのため、ストロボ本体１の背面１Ｂの主充電完了ランプ１０のみが点灯状態となる。撮影者はこの主充電完了ランプ１０の点灯を視認することで充電が完了したことを確認することができる。
【００１２】
一方、スレーブ／ノーマル切替スイッチ８をスレーブ側Ｓに切り替えると両方のＬＥＤ２１，２２が発光する。ＬＥＤ２１の発光によりストロボ本体１の背面１Ｂの主充電完了ランプ１０が点灯することはノーマル時と同じである。これと同時に他方のＬＥＤ２２で発光した光はそれそれ３本の光ファイバ３１〜３３を導光し、ストロボ本体１の正面下部１Ｆ、左右側面１Ｌ，１Ｒのそれぞれの小窓１１ａ，１２ａ，１３ａから光を出射し、各副充電完了ランプ１１，１２，１３が点灯状態となる。これにより、ストロボ本体１の前方、左右両側方からそれぞれ副充電完了ランプ１１〜１３のいずれかの点灯を視認することが可能になり、ストロボ装置の充電完了を確認することが可能になる。
【００１３】
このように、実施例１のストロボ装置では、スレーブ／ノーマル切替スイッチ８をスレーブ側に切り替えたときには、ストロボ装置の背面、正面、左右側面のそれぞれにおいて充電完了ランプ１０，１１，１２，１３が点灯されるため、ストロボ装置の周囲のほぼ３６０度の角度位置から主副のいずれかの充電完了ランプの点灯を視認することが可能になる。したがって、被写体の側方に配置したストロボ装置や発光方向が正面を向いていないストロボ装置を用いてスレーブ発光やマルチ発光による撮影を行う場合に、撮影者はカメラ位置から各ストロボ装置の充電完了ランプの点灯を視認して充電完了を確認でき、撮影に際しての作業を軽減でき好適な撮影が実現できることになる。
【００１４】
なお、複数のストロボ装置を用いて同時発光させるマルチ発光撮影を行う場合においても、スレーブ発光撮影と同様に全てのストロボ装置の充電完了を確認することが要求され、この場合にはストロボ本体の４つの充電完了ランプを点灯させることが要求されるため、例えばスレーブ／ノーマル切替スイッチをスレーブ／マルチ／ノーマル切替スイッチとして構成し、マルチ側に切り替えたときにも４つの充電完了ランプが点灯するように構成することが好ましい。
【００１５】
前記実施例１では、ストロボ本体の正面、左右側面に設けた副充電完了ランプ１１，１２，１３を光ファイバを用いてＬＥＤ２２から導光していたが、各副充電完了ランプ１１，１２，１３をそれぞれ独立したＬＥＤで構成してもよいことは言うまでもない。この場合には、ストロボ本体の各面に配置した４つのＬＥＤをスレーブ／ノーマル切替スイッチ８により選択的あるいは合一的に発光するように回路を構成すればよい。
【実施例２】
【００１６】
図４は本発明の実施例２のストロボ装置の外観斜視図であり、（ａ）は正面側、（ｂ）は背面側から見た図である。ストロボ本体１の構成は実施例１と同じであるので説明を簡略化するが、横Ｌ字型に近い形状をしたストロボ本体１は下部にシュー取付部２が設けられて図には表れないカメラのホットシューに装着される。ホットシューに対するストロボ本体１の取り付けは、シュー取付部２に設けられた取付レバー３を操作して行う。前記ストロボ本体１の前面には発光窓４が配設され、当該発光窓４の正面下部１Ｆにはワイヤレス受光部５が配設される。前記ストロボ本体１の背面１Ｂには、各種データを表示するためのＬＣＤ等からなる表示器６と、メインスイッチ７、スレーブ／ノーマルの切替スイッチ８等の各種スイッチが配設されている。さらに、当該背面１Ｂには赤色ＬＥＤ２１からなる主充電完了ランプ１０が配設されている。この主充電完了ランプ１０は実施例１と同様にストロボ本体１の背面１Ｂの小窓１０ａにＬＥＤ２１が臨設された構成となっている。
【００１７】
さらに、前記ストロボ本体１の前記したシュー取付部２及び取付レバー３の直上位置には、水平方向に回転操作可能な表示ダイヤル９が配設されている。図５はその表示ダイヤル９の拡大図であり、取付レバー３と同心に配置された内部が中空の円環状の部材で構成され、手操作によってストロボ本体１に対して所要の角度範囲で回動可能に構成されている。前記表示ダイヤル９の円周一部には半球状をした樹脂レンズ１４ａが突出状態に形成され、この樹脂レンズ１４ａに臨んだ表示ダイヤル９の内部に赤色ＬＥＤ２２が内装され、副充電完了ランプ１４が構成されている。なお、前記表示ダイヤル９は副充電完了ランプ１４を正面に向けたときに、水平方向に左右１５０度の角度範囲で回転可能であり、かつ任意の回転位置に停止させることが可能である。そして、前記表示ダイヤル９に設けた副充電完了ランプ１４を構成しているＬＥＤ２２と、前記背面の主充電完了ランプ１０を構成するＬＥＤ２１は、図３（ｂ）に示したと同様に、前記スレーブ／ノーマル切替スイッチ８をノーマル側に切り替えたときには背面のＬＥＤ２１のみが発光され、スレーブ側に切り替えたときには２つのＬＥＤ２１，２２が両方発光されるようになっている。
【００１８】
この実施例２のストロボ装置では、メインスイッチ７をオンしてストロボ装置を発光可能な状態に設定し、ストロボ回路のメインコンデンサの充電が完了すると充電完了ランプを発光させる。このとき、スレーブ／ノーマル切替スイッチ８をノーマル側に切り替えていると背面のＬＥＤ２１のみが発光して主充電完了ランプ１０が点灯状態となる。撮影者はこの主充電完了ランプ１０の点灯を視認することで充電が完了したことを確認することができる。
【００１９】
一方、スレーブ／ノーマル切替スイッチ８をスレーブ側に切り替えると両方のＬＥＤ２１，２２が発光する。表示ダイヤル９内のＬＥＤ２２が発光すると、当該表示ダイヤル９の副充電完了ランプ１４が点灯する。そして、表示ダイヤル９を適宜に回動して副充電完了ランプ１４を任意の角度位置、すなわちカメラが配置されている方向に設定すれば、カメラが配置されている方向から当該副充電完了ランプ１４の点灯を視認することが可能になる。このように、スレーブ側に切り替えたときには、ストロボ装置の正面方向を中心とした左右３００度範囲の角度位置から表示ダイヤル９の副充電完了ランプ１４の点灯を視認し、背面側からは主充電完了ランプ１０の点灯を視認することが可能になる。したがって、被写体の側方に配置したストロボ装置や発光方向が正面を向いていないストロボ装置を用いてスレーブ発光やマルチ発光による撮影を行う場合に、撮影者はカメラ位置から各ストロボ装置の充電完了ランプを視認して充電完了を確認でき、撮影に際しての作業を軽減でき好適な撮影が実現できることになる。
【実施例３】
【００２０】
図６は本発明の実施例３のストロボ装置の外観斜視図であり、（ａ）は正面側、（ｂ）は背面側から見た図である。ストロボ本体１の構成は実施例１，２と同じであるので説明を省略する。なお、ストロボ本体１の背面１Ｂには、説明が重複するが、各種データを表示するためのＬＣＤ等からなる表示器６と、メインスイッチ７、スレーブ／ノーマルの切替スイッチ８等の各種スイッチが配設されており、さらに、当該背面には小窓１０ａに臨んで配置した赤色ＬＥＤ２１からなる主充電完了ランプ１０が配設されている。
【００２１】
さらに、前記ストロボ本体１の頂面１Ｔには上方に向けて副充電完了ランプ１５が配設されている。図７はその頂面１Ｔの副充電完了ランプ１５の拡大図であり、ストロボ本体１の頂面１Ｔのほぼ中央に半球状の樹脂レンズ１５ａが搭載され、このレンズの内部に赤色ＬＥＤ２２が内蔵された構成となっている。前記副充電完了ランプ１５は樹脂レンズ１５ａが頂面１Ｔから上方に突出されているので、ストロボ本体１の周囲３６０度から確認することが可能である。そして、前記副充電完了ランプ１５を構成しているＬＥＤ２２と、前記背面の主充電完了ランプ１０を構成するＬＥＤ２１は、図３（ｂ）に示したと同様に、前記スレーブ／ノーマル切替スイッチ８をノーマル側に切り替えたときには背面のＬＥＤ２１のみが発光され、スレーブ側に切り替えたときには２つのＬＥＤ２１，２２が両方発光されるようになっている。
【００２２】
この実施例３のストロボ装置では、メインスイッチ７をオンしてストロボ装置を発光可能な状態に設定するとストロボ回路のメインコンデンサの充電が完了するとＬＥＤを発光させる。このとき、スレーブ／ノーマル切替スイッチ８をノーマル側に切り替えていると背面のＬＥＤ２１のみが発光して主充電完了ランプ１０が点灯状態となる。撮影者はこの主充電完了ランプ１０の点灯を視認することで充電が完了したことを確認することができる。
【００２３】
一方、スレーブ／ノーマル切替スイッチ８をスレーブ側に切り替えると両方のＬＥＤ２１，２２が発光する。ＬＥＤ２２が発光すると副充電完了ランプ１５が点灯する。この副充電完了ランプ１５の点灯はストロボ装置の周囲３６０度から確認することができる。このように、スレーブ側に切り替えたときには、ストロボ装置の周囲のいずれの位置からも副充電完了ランプ１５の点灯を視認し、背面側からは同時に主充電完了ランプ１０の点灯を視認することが可能になる。したがって、被写体の側方に配置したストロボ装置や発光方向が正面を向いていないストロボ装置を用いてスレーブ発光やマルチ発光による撮影を行う場合に、撮影者はカメラ位置から各ストロボ装置の充電完了ランプの点灯を視認して充電完了を確認でき、撮影に際しての作業を軽減でき好適な撮影が実現できることになる。
【００２４】
ここで、実施例３では頂面の主充電完了ランプ１５の点灯を背面側からも確認することができるため背面の主充電完了ランプ１０を省略することも可能であるが、ノーマル時に頂面の副充電完了ランプ１５が点灯すると当該ランプの光が被写体に対して影響を与えることも考えられるため、実施例３のように背面にノーマル専用の主充電完了ランプ１０を備えておくことが好ましい。
【００２５】
以上の実施例１〜３において、ノーマル時には主充電完了ランプのみを点灯し、スレーブ時に主充電完了ランプと副充電完了ランプを点灯しているが、ノーマル時とスレーブ時との区別をすることなく常時全ての充電完了ランプを点灯するように構成してもよい。ただし、前述のようにノーマル時に副充電完了ランプの点灯がカメラでの撮影の支障とならないようにすることは必要である。
【００２６】
なお、実施例１〜３において、各充電完了ランプを単に点灯させるのみではなく、充電完了に達するまでの間は充電完了ランプを点滅させ、充電完了後に連続点灯させるようにすることで、充電中及び充電完了を判別させるように構成できることは勿論である。
【００２７】
本発明における充電完了ランプはＬＥＤに限られるものではなく、ネオン管のような放電管、あるいは他の発光素子で構成できることは言うまでもない。
【図面の簡単な説明】
【００２８】
【図１】マルチ発光によるストロボ撮影を説明するための概念図である。
【図２】本発明の実施例１のストロボ装置の外観斜視図である。
【図３】実施例１の主充電完了ランプと副充電完了ランプの構成と回路の模式説明図である。
【図４】本発明の実施例２のストロボ装置の外観斜視図である。
【図５】実施例２の副充電完了ランプの構成の模式説明図である。
【図６】本発明の実施例３のストロボ装置の外観斜視図である。
【図７】実施例３の副充電完了ランプの構成の模式説明図である。
【符号の説明】
【００２９】
１  ストロボ本体
２  シュー取付部
３  取付レバー
４  発光窓
５  ワイヤレス受光部
６  表示器
７  メインスイッチ
８  スレーブ／ノーマル切替スイッチ
９  表示ダイヤル
１０  主充電完了ランプ
１１〜１５  副充電完了ランプ
２１，２２  ＬＥＤ
３１〜３３  光ファイバ
【図１】
2006039354.tif 000003
【図２】
2006039354.tif 000004
【図３】
2006039354.tif 000005
【図４】
2006039354.tif 000006
【図５】
2006039354.tif 000007
【図６】
2006039354.tif 000008
【図７】
2006039354.tif 000009